(57)【要約】【課題】多様なデザインであっても、化粧パネルと装飾板とを外観を減じることなく強固に接合することのできる戸パネルを提供する。【解決手段】表面化粧材（４）と芯材（３）とからなる左右の化粧パネル（１）と装飾板（２）とを備え、装飾板（２）の左右両側端部（２ａ）を化粧パネル（１）の芯材（３）の内側側端面（３ａ）に嵌入状態に接合し、且つダボなど固定部材（５）により、この接合部分を貫通するように固定し、更に芯材表面に露出する固定部材の露出部を表面化粧材により被覆した戸パネル。【選択図】　図２
2004060378.tif 000002
【特許請求の範囲】
【請求項１】
表面化粧材と芯材とからなる左右の化粧パネルと上記芯材より厚さの薄い装飾板とを備えた戸パネルであり、該装飾板の左右両側端部が化粧パネルの芯材の内側側端面に嵌入状態に接合されてなるとともに、該芯材の内側側端部の一方側表面から他方側表面に向けて上記装飾板の左右側端部を貫通する固定部材により化粧パネルの芯材と装飾板とが一体に固定されてなり、更に芯材表面に露出する上記固定部材の露出部が表面化粧材により被覆されてなることを特徴とする戸パネル。
【請求項２】
表面化粧材が、Ｖカット化粧板であることを特徴とする請求項１に記載の戸パネル。
【請求項３】
装飾板がポリカーボネート樹脂板からなることを特徴とする請求項１又は２に記載の戸パネル。
【請求項４】
表面化粧材と芯材とで構成される左右の化粧パネルの芯材の内側側端面に、上記芯材より薄い装飾板の両側端部を嵌入状態に接合する工程と、該接合された芯材の内側側端部と装飾板の両側端部とを、該芯材の一方側表面から他方側表面に向けて上記装飾板の左右側端部が貫通するように固定部材で固定する工程と、装飾板を固定した芯材の表面を固定部材の露出部が被覆されるように表面化粧材で被覆する工程とを順次備えてなる戸パネルの製造方法。
【請求項５】
内側側端部の芯材が複数枚の板材で形成されており、この板材間に装飾板の両側端部を挟み込んで接着することにより芯材の内側側端面に装飾板の両側端部を嵌入状態に接合してなることを特徴とする請求項４に記載の戸パネルの製造方法。
【請求項６】
表面化粧材が、Ｖカット化粧板であることを特徴とする請求項４又は５に記載の戸パネルの製造方法。
【請求項７】
装飾板がポリカーボネート樹脂板からなることを特徴とする請求項４乃至６に記載の戸パネルの製造方法。
【発明の詳細な説明】
【０００１】
【発明の属する技術分野】
本発明は、建築物のドア、引き戸、或いはクローク収納等の収納体の扉に用いるに好適な戸パネルおよびその製造方法に関する。
【０００２】
【従来の技術】
従来から、建築物のドア、引き戸、或いはクローク収納など収納体の扉には、框部など左右の化粧パネルと該左右の化粧パネルの間に配され、該化粧パネルと一体に接合されて戸パネルを構成する鏡板やガラス板などの装飾板とで構成されているものが良く知られている。
【０００３】
このような化粧パネルと装飾板を接合固定するには、例えば化粧パネルの内側側端面に嵌合凹部を形成しておき、この嵌合凹部に装飾板の左右の側端部を嵌入して接着剤で固定する方法がある。また、表面からビスなどで化粧パネルと装飾板をビス止めする方法もあるが、この場合にはビス頭が表面に露出して装飾性を損なうので化粧キャップでカバーされる。
【０００４】
【発明が解決しようとする課題】
しかしながら、このような戸パネルは、接着だけでは化粧パネルと装飾板とが十分に固定されず、装飾板にガタツキなどを生じることがあり、特に木質材からなる化粧パネルにガラスや樹脂板など異種材料からなる装飾板を接着剤で固定しようとする場合には、このような問題が発生し易かった。また、戸パネルのデザイン性を高めるため、装飾板を上下の框がない状態に上から下まで通しで接合固定しようとする場合には、上下で支えるものがなく側面だけで接合固定するため、更に上記のガタツキなどの接合不良を生じる危惧が高くなる。また、化粧パネルの表面からビス等固定具で固定する場合には、化粧キャップでカバーしても違和感のある外観となってその装飾性を減じるものであった。
【０００５】
本発明は、かかる従来の欠点に鑑みなされたもので、表面の装飾性を損なわずに化粧パネルと装飾板とを生産性良く強固に固定することができ、更には装飾板が化粧パネルに上から下まで通しで固定されるような多様なデザインの戸パネルであっても、両者を強固に固定でき、また生産性良く製造できる戸パネルおよびその製造方法を提供することを目的とする。
【０００６】
【課題を解決するための手段】
上記の目的を達成するため、請求項１の発明に係る戸パネルは、表面化粧材と芯材とからなる左右の化粧パネルと、上記芯材より薄い厚さの装飾板とを備えた戸パネルであり、該装飾板の左右両側端部が化粧パネルの芯材の内側側端面に嵌入状態に接合されてなるとともに、該芯材の内側側端部の一方側表面から他方側表面に向けて上記装飾板の左右側端部を貫通する固定部材により化粧パネルの芯材と装飾板とが一体に固定されてなり、更に芯材表面に露出する上記固定部材の露出部が表面化粧材により被覆されてなる構成とした。
【０００７】
これによれば、化粧パネルの芯材と装飾板とを嵌入状態に接合し、更に固定部材によって両者貫通状に固定するものであるので、非常に強固に固定された戸パネルを得ることができ、多様なデザインの戸パネルにも適用できる。そして、固定部材が芯材の表面に露出する露出部が表面化粧材によって被覆されているので、固定部材の露出部を隠蔽する化粧キャップは不要となり、装飾性に優れた戸パネルを得ることができる。
【０００８】
請求項２の発明に係る戸パネルは、請求項１の発明において、表面化粧材にＶカット化粧板を用いた構成とした。これによれば、厚みのあるＶカット化粧材によって芯材表面に露出した固定部材を一層良好に被覆することができるとともに、芯材の角部にＶカット部をあてがい、表面に沿うように折り曲げて表面化粧材を芯材に固定できるので、生産性良く製造することができる。
【０００９】
請求項３の発明に係る戸パネルは、請求項１又は２の発明において、装飾板としてポリカーボネート樹脂板を用いる構成とした。このことにより、戸パネルに採光性・光透過性を付与できることは勿論、ガラスやスリガラスに較べて軽量で加工や固定部材による固定がし易く、製造工程での破損も少なくすることができる。
【００１０】
請求項４の発明に係る戸パネルの製造方法は、表面化粧材と芯材とで構成される左右の化粧パネルの芯材の内側側端面に、該芯材より薄い装飾板の両側端部を嵌入状態に接合する工程と、該接合された芯材の内側側端部と装飾板の両側端部とを、該芯材の一方側表面から他方側表面に向けて上記装飾板の左右側端部が貫通するように固定部材で固定する工程と、装飾板を固定した芯材の表面を固定部材の露出部が被覆されるように表面化粧材で被覆する工程とを順次備えてなる構成とした。これによれば、化粧パネルと装飾板とを、化粧パネル表面の化粧性を損なうことなく、強固に接合固定された戸パネルを非常に良好に製造することができる。
【００１１】
請求項５の発明に係る戸パネルの製造方法は、請求項４の発明において、内側側端部の芯材が複数枚の板材で形成されており、この板材間に装飾板の両側端部を挟み込んで接着することにより芯材の内側側端面に装飾板の両側端部を嵌入状態に接合してなる構成とした。これによれば、装飾板の両側端部を芯材の内側側端面に確実に接合保持でき、その後の加工工程における加工作業を容易にし、戸パネルの生産性を一層向上させることができる。
【００１２】
請求項６の発明に係る戸パネルの製造方法は、請求項４又は５の発明において、表面化粧材としてＶカット化粧板を用いた構成とした。これによれば、芯材の角部にＶカット部をあてがい、芯材表面に沿うように折り曲げて表面化粧材を芯材に固定できるので、芯材に装飾板を固定した後においても、表面化粧材を芯材に接着剤などにより良好に固定することができる。また、Ｖカット化粧板は基板の表面に化粧シートを貼着して形成されているので、芯材表面に露出した固定部材の露出部を確実に被覆することができる。
【００１３】
請求項７の発明に係る戸パネルの製造方法は、装飾板としてポリカーボネート樹脂板を用いる構成とした。このことにより、戸パネルに採光性・透過性を付与することができ、またガラスやスリガラスに較べ軽量で加工し易く、固定部材による固定が容易な上、製造工程での破損も少ないので戸パネルの生産性を一層向上させることができる。
【００１４】
【発明の実施の形態】
図１〜図３は、本発明の実施形態に係る戸パネル（Ａ）の説明図である。この戸パネル（Ａ）は、左右に配された化粧パネル（１）（１）と中央部に配されたすりガラス調のポリカーボネート樹脂板製装飾板（２）とから構成されており、化粧パネル（１）（１）および装飾板（２）が、図３に示すようにそれぞれ上から下まで通しの状態になるシンプルなデザインに形成されている。
【００１５】
化粧パネル（１）（１）は、図１及び図２に示すように内側及び外側の縦桟材（ａ）（３ｂ）と、この縦桟材（３ａ）（３ｂ）の間に設けられた複数（図では８本）の横桟材（３ｃ）と、上下部及びノブ取付部に設けられた補強板材（３ｄ）とで形成される骨組み中空状の芯材（３）と、この芯材（３）の周囲を覆うＶカット化粧板製表面化粧材（４）とで形成されている。
【００１６】
芯材（３）の内側縦桟材（３ａ）は、装飾板（２）の両側端部（２ａ）を囲うように配された３枚の板材（３ａ１）、（３ａ２）、（３ａ３）で形成されており、この３枚の板材（３ａ１）、（３ａ２）、（３ａ３）で装飾板（２）の両側端部（２ａ）が嵌入状態に接着接合されている。そして、この芯材（３）の内側縦桟材（３ａ）と装飾板（２）の両側端部（２ａ）とが重なる部分において、芯材（３）の一方面から他方面に貫通する貫通孔が形成されており、この貫通孔にダボからなる固定部材（５）が打ち込まれて、芯材（３）と装飾板（２）とが強固に固定されている。
【００１７】
そして、前記したように芯材（３）の周囲がＶカット化粧板からなる表面化粧材（４）で被覆されているので、固定部材（５）であるダボやダボ孔が芯材（３）の表面に露出する露出部は、表面化粧材（４）によって確実に被覆されている。
【００１８】
ここにおいて、芯材（３）として前記骨組み中空状のものを用いると、戸パネルを軽量に形成できるという利点がある。しかし、これに限らず例えば、縦桟材（ａ）、（３ｂ）間の中空部にハニカム体を充填して強度や面圧縮強度を向上させたものや、繊維マット状物や樹脂発泡体からなる断熱材を充填して断熱性を向上させたものを用いることもできる。また、重くなるが、木材、合板、ＭＤＦ、集成材、或いはそれらの複合材などからなるソリッドな木質材を用いてもよい。
【００１９】
また、上記実施形態では、芯材（３）と装飾板（２）の両側端部（２ａ）との接合を、芯材（３）の内側の縦桟材（３ａ）を形成する３枚の板材（３ａ１）、（３ａ２）、（３ａ３）で嵌入状態に接着接合する例を示したが、これに限らず、例えば縦桟材（３ａ）の内側側端面にこの側端面に開口する凹部を形成し、この凹部に装飾板（２）の両側端部（２ａ）を挿入し嵌入状態に接合するようにしてもよい。また接合に際しては、接着剤を使用することが接合を確実にする上で好ましいが、嵌入だけで十分接合状態が保持できる場合には接着剤の使用は不要である。
【００２０】
さらに、上記実施形態では、固定部材（５）にダボを用いて芯材（３）の内側側端部と装飾板（２）の両側端部（２ａ）とを貫通状態に強固に固定する好適な例を示したが、これに限らず、例えば芯材（３）の一方面から他方面へ装飾板（２）の両側端部（２ａ）を少なくとも貫く半貫通状態に固定してもよい。ダボに限らず、ビスやネジを固定部材（５）として用い固定してもよい。
【００２１】
また、上記実施形態では、装飾板（２）としてポリカーボネート樹脂板を用いる例を示したが、このようなポリカーボネート樹脂板は、ガラスと同様採光性・透過性を装飾板（２）に付与できるとともに、ガラスに較べて軽くて強度や靭性があり、接着性や加工性が良く、また割れなどの損傷も生じ難いという利点があるので好適である。しかし、装飾板（２）としては、これに限らず例えば木質化粧板、ガラス、アクリル樹脂、スチレン樹脂等の透明・半透明樹脂板などを用いることもできる。
【００２２】
また、上記実施形態では、表面化粧材（４）としてＶカット化粧板を用いる例を示した。このＶカット化粧板は、図７に示すように合板、ＭＤＦ、火山性ガラス質複層板などからなる薄い基板の表面に合成樹脂化粧シート、突板などのシート状化粧材を貼着し、基板裏側からシート状化粧材に略至るＶ字状、円弧状などの所謂Ｖカット溝（７）を所定位置に切削により施したものであり、厚みがあるのでダボ孔やビス孔の窪みやダボやビス頭の若干の出っ張りや窪みがあっても、それらが戸パネル（Ａ）の表面に現出するのを確実に防ぐことができる。また、適度な強度を有しているので、芯材（３）が本実施形態のような骨組み中空状であっても、表面材として外力に対抗する十分な強度を備えており、好ましい。尚、芯材が前記ソリッドな木質材からなる場合など外力に対抗する十分な強度を全面に備えている場合には、表面化粧材（４）として合成樹脂化粧シートや突板などのシート状化粧材を用いることも可能である。
【００２３】
次に本願発明の戸パネル（Ａ）の製造方法に係る実施形態を図４〜図７に基づき説明する。図４において、先ず骨組み中空状の芯材（３）の内側側端部（３ａ）の端面に設けた凹部（６）に接着剤を塗布し、ポリカーボネート樹脂製の装飾板（２）の側端部（２ａ）を上記凹部（６）に嵌入して接着固定し、芯材（３）に装飾板（２）を嵌入状態に接合する。
【００２４】
次いで第５図に示すように、芯材（３）の内側側端部（３ａ）の一面側から装飾板（２）の側端部（２ａ）を貫いて他面側に貫通するように複数箇所ダボ孔（５ａ）を穿設し、このダボ孔（５ａ）にダボ（５）を埋め込むことにより芯材（３）に装飾板（２）を強固に固定する。
【００２５】
次いで、第６図に示すＶカット化粧板からなる表面化粧材（４）を、図７に示すように芯材（３）の周面に、Ｖカット部（７）が対応する芯材（３）の角部に当接するように接着剤を用いて接着固定することにより、本願発明にかかる戸パネル（Ａ）を生産性良く製造することができる。
【００２６】
ここにおいて、最初の芯材（３）に装飾板（２）を嵌入状態に接合する工程は、図７のａ、ｂに示すようにすることもできる。即ち、芯材（３）の内側縦桟材（３ａ）を３枚の板材（３ａ１）、（３ａ２）、（３ａ３）で構成し、装飾板（２）の両側端部（２ａ）を上下の板材（３ａ１）、（３ａ２）でサンドイッチし、空間を板材（３ａ３）で埋めて、接着剤により加圧、或いは加熱加圧して芯材（３）と装飾板（２）とを嵌入状態に接合するものである。この場合には、内側縦桟材（３ａ）に凹部（６）を形成する必要がなく、また装飾板（２）と芯材（３）とをプレスにより強固に接着することができるので、より好ましい。
【００２７】
【発明の効果】
以上説明した如く、請求項１の発明に係る戸パネルによると、装飾板の左右両側端部を化粧パネルの芯材の内側側端面に嵌入状態に接合し、この部分を固定部材により貫通状態に固定し、更に芯材表面に露出する固定部材の露出部を表面化粧材で覆うように構成しているので、芯材と装飾板とを非常に強固に固定することができるとともに、表面に化粧キャップなどを取り付ける必要がないので装飾性を減じることがない。そして、今まで装飾性を減じることなく強固に固定するのが難かしかった多様なデザインの戸パネルであっても生産性良く形成できるようになった。
【００２８】
また、請求項２の発明に係る戸パネルによると、表面化粧材としてＶカット化粧板を用いているので、厚みのあるＶカット化粧材によって芯材表面に露出した固定部材を一層良好確実に被覆することができるとともに、芯材の角部に予め位置決めされたＶカット部をあてがい、表面に沿うように折り曲げて表面化粧材を芯材に固定できるので、更に生産性良く製造することができる。
【００２９】
また、請求項３の発明に係る戸パネルによると、装飾板としてポリカーボネート樹脂板を用いているので、戸パネルに採光性・光透過性を付与することができるのは勿論のこと、ガラスやスリガラスに較べて軽量で加工や固定部材による固定がし易く、製造工程での破損も少なくすることができる。
【００３０】
また、請求項４の発明に係る戸パネルの製造方法によると、芯材の内側側端面に、装飾板の両側端部を嵌入状態に接合する工程と、この接合部分を固定部材により貫通状に固定する工程と、固定部材の露出部を含む芯材の周面を表面化粧材で被覆する工程とを順次備えているので、化粧パネルと装飾板とを化粧パネル表面の化粧性を損なうことなく、強固に接合固定された戸パネルを非常に良好に製造することができる。
【００３１】
また、請求項５の発明に係る戸パネルの製造方法によると、請求項４の発明において、内側側端部の芯材を複数枚の板材で形成し、この板材間に装飾板の両側端部を挟み込んで接着することにより芯材の内側側端面に装飾板の両側端部を嵌入状態に接合しているので、装飾板の両側端部を芯材の内側側端面に確実に接合保持でき、その後の加工工程における加工作業を容易にし、戸パネルの生産性を一層向上させることができる。
【００３２】
また、請求項６の発明に係る戸パネルの製造方法によると、請求項４又は５の発明において、表面化粧材としてＶカット化粧板を用いているので、芯材の角部に予め位置決めされたＶカット部をあてがい、芯材表面に沿うように折り曲げて表面化粧材を芯材に固定できるので、芯材に装飾板を固定した後においても、表面化粧材を芯材に接着剤などにより良好に固定することができる。また、Ｖカット化粧板は基材表面に化粧シートを貼着して形成されているので厚みがあり、芯材表面に露出した固定部材の露出部を確実に被覆することができる。
【００３３】
また、請求項６の発明に係る戸パネルの製造方法によると、請求項４乃至６の発明において、装飾板としてポリカーボネート樹脂板を用いているので、戸パネルに採光性・透過性を付与することができるのは勿論のこと、またガラスやスリガラスに較べ軽量で加工し易く、固定部材による固定が容易な上、製造工程での破損も少ないので戸パネルの生産性を一層向上させることができる。
【図面の簡単な説明】
【図１】本発明の実施形態である戸パネル（Ａ）の芯材と装飾板を接合した状態を示す説明図である。
【図２】本発明の実施形態である戸パネル（Ａ）の水平断面を示す説明図である。
【図３】本発明の実施形態である戸パネル（Ａ）の表面外観を示す説明図である。
【図４】本発明の実施形態である戸パネル（Ａ）の製造方法を示す説明図である。
【図５】本発明の実施形態である戸パネル（Ａ）の製造方法を示す説明図である。
【図６】本発明の実施形態である戸パネル（Ａ）の製造方法を示す説明図である。
【図７】本発明の実施形態である戸パネル（Ａ）の製造方法を示す説明図である。
【図８】本発明の実施形態である戸パネル（Ａ）の製造方法の変形例を示す説明図である。
【符号の説明】
（Ａ）　　戸パネル
（１）　　化粧パネル
（２）　　装飾板
（３）　　芯材
（４）　　表面化粧材
（５）　　ダボ
【図１】
2004060378.tif 000003
【図２】
2004060378.tif 000004
【図３】
2004060378.tif 000005
【図４】
2004060378.tif 000006
【図５】
2004060378.tif 000007
【図６】
2004060378.tif 000008
【図７】
2004060378.tif 000009
【図８】
2004060378.tif 000010